【手続補正書】
【提出日】平成17年12月2日(2005.12.2)
【手続補正１】
【補正対象書類名】明細書
【補正対象項目名】特許請求の範囲
【補正方法】変更
【補正の内容】
【特許請求の範囲】
【請求項１】  ヘッドを有するハンドルと、
ヘッドに回転自在に取付けられ、且つ長手方向軸線を定める駆動スタッドと、
駆動スタッドと結合されたラチェット機構と、
駆動スタッドに配置された急速解放機構と、
軸線と実質的に直交する平面内で移動するようにハンドルに取付けられたアクチュエーターと、を有し、
使用者によるアクチュエーターの制御を可能にするため、前記アクチュエーターが急速解放機構に結合される、ラチェットレンチ。
【請求項２】  前記急速解放機構が、駆動スタッド内で軸線に沿って摺動できるピンを有し、前記アクチュエーターが、
ヘッド内でのアクチュエーターの移動が駆動スタッド内でのピンの移動を引き起こすようにピンと結合されるランプと、
使用者の手との接触のためにヘッドの外側部分にさらされた制御面と、を有する、請求項１に記載のラチェットレンチ。
【請求項３】  ヘッドを有するハンドルと、
ヘッドに回転自在に取付けられた荷重支持要素と、
荷重支持要素と一緒に回転するように結合された駆動スタッドと、
荷重支持要素と結合されたラチェット機構と、を有し、
前記荷重支持要素が、駆動スタッドと反対側の荷重支持要素の側に第１面を有し、前記第１面が軸線のまわりに延びる凹部を有し、
前記ヘッドが、凹部の中に受け入れられ且つ軸線から離れる少なくとも一方向における荷重支持要素の移動に抵抗するように位置決めされた非回転心出し要素を有する、ラチェットレンチ。
【請求項４】  駆動スタッドに配置され、駆動スタッドの中で軸線に沿って摺動できるピンを有する急速解放機構と、
軸線と実質的に直交する平面内で移動するようにハンドルに取付けられたアクチュエーターと、を更に有し、アクチュエーターは、ヘッド内でのアクチュエーターの移動が駆動スタッド内でのピンの移動を引き起こすようにピンと結合される、請求項３に記載のラチェットレンチ。
【請求項５】  ヘッドが、摺動中のアクチュエーターを案内するガイドを有する、請求項１又は請求項４に記載のラチェットレンチ。
【請求項６】  ヘッドが、心出し要素を有し、心出し要素は、駆動スタッドと一緒に回転するように結合された荷重支持要素に向って延び、荷重支持要素は、第１面に凹部を有し、凹部は、心出し要素が軸線から離れる少なくとも一方向におけるラチェットホイールの移動に抵抗するように心出し要素を受け入れる形状を有する、請求項１に記載のラチェットレンチ。
【請求項７】  心出し要素が軸線のまわりに１８０°以上延びる、請求項４又は請求項６に記載のラチェットレンチ。
【請求項８】  心出し要素がアクチュエーター受け入れ領域を構成し、アクチュエーターがアクチュエーター受け入れ領域の中へ移動できる、請求項４又は請求項６に記載のラチェットレンチ。
【請求項９】  心出し要素が第１部分及び第２部分を有し、第１部分及び第２部分は各々、アクチュエーターの別のそれぞれの側面まで延びる、請求項４又は請求項６に記載のラチェットレンチ。
【請求項１０】  荷重支持要素がラチェットホイールを有し、ラチェット機構が、ラチェットホイールに係合する爪を有し、アクチュエーターが、軸線と平行に向けられ且つ爪とラチェットホイールとの間の界面を通る線と交差しないように形成される、請求項４に記載のラチェットレンチ。
【請求項１１】  アクチュエーターがヘッドに取付けられ、且つ制御面がヘッドの外側部分でさらされている、請求項２に記載のラチェットレンチ。
【請求項１２】  アクチュエーターがヘッドに取付けられている、請求項１に記載のラチェットレンチ。
【請求項１３】  アクチュエーターがランプを有し、このランプがアクチュエーターの軸線のまわりに少なくとも部分的に延び、ランプがアクチュエーターの軸線を中心に回転運動可能にヘッド内で案内される、請求項４に記載のラチェットレンチ。
【請求項１４】  心出し要素が隆起した環を有する、請求項３又は請求項４に記載のラチェットレンチ。
【請求項１５】  アクチュエーターがランプを有し、このランプがアクチュエーターの軸線のまわりに少なくとも部分的に延び、ランプがアクチュエーターの軸線を中心に回転運動可能にヘッド内で案内され、心出し要素がアクチュエーターのまわりに延びる隆起した環を有する、請求項４に記載のラチェットレンチ。
【請求項１６】  心出し要素が軸線のまわりに連続的に延びる、請求項８に記載のラチェットレンチ。
【請求項１７】  心出し要素が、ラチェットレンチの少なくともいくつかの操作中の荷重を支持する、請求項３に記載のラチェットレンチ。
【請求項１８】  アクチュエーターがランプを有する、請求項４に記載のラチェットレンチ。
【請求項１９】  アクチュエーターが、使用者の手との接触のためにハンドルの外側部分でさらされた制御面を更に有する、請求項１８に記載のラチェットレンチ。
【請求項２０】  ハンドルと、ハンドルに回転自在に取付けられた駆動スタッドと、駆動スタッドに結合されたラチェット機構と、を有する型式のラチェットレンチにおいて、
駆動スタッド内に配置された工具保持要素、及び工具保持要素に結合された工具解放アクチュエーターを有し、
駆動スタッドが荷重支持要素と結合され、前記荷重支持要素が、駆動スタッドと反対側の荷重支持要素の側に面を有し、更に、この面に形成された第１凹部を有し、
ラチェットレンチが、荷重支持要素を軸線を中心に回転可能に受け入れるように形成された第２凹部と、第１凹部の中へ突出する心出し要素と、を有し、
心出し要素は、非回転であり、且つ、軸線に対する第１面の少なくとも一方向の心ずれ変位を減少させるように荷重を支持する、ラチェットレンチ。
【請求項２１】  ヘッドを有するハンドルと、
荷重支持要素によってヘッドに回転自在に取付けられ且つ荷重支持要素と一体に回転する駆動スタッドと、
駆動スタッドに配置された工具解放機構と、を有し、
荷重支持要素が、駆動スタッドと反対側の荷重支持要素の側に面を有し、更に、この面に形成された第１凹部を有し、
ハンドルが、心出し要素と、荷重支持要素を軸線を中心に回転可能に受け入れるように形成された第２凹部と、を有し、
心出し要素は、非回転であり、且つ、軸線に対する第１面の少なくとも一方向の心ずれ変位を減少させるように荷重を支持する、ラチェットレンチ。
【請求項２２】  心出し要素が軸線のまわりに１８０°以上延びる、請求項２０又は請求項２１に記載のラチェットレンチ。
【請求項２３】  荷重支持要素がラチェットホイールを有し、ラチェット機構がラチェットホイールと結合する爪を有する、請求項３又は請求項６又は請求項２０のいずれか１項に記載のラチェットレンチ。
【請求項２４】  心出し要素が、ラチェットレンチの少なくともいくつかの操作中の荷重を支持する、請求項７に記載のラチェットレンチ。
【請求項２５】  荷重支持要素がラチェットホイールを有し、ラチェット機構がラチェットホイールと係合する爪を有する、請求項３に記載のラチェットレンチ。
【請求項２６】  アクチュエーターがヘッド内に取付けられ、ヘッドの外面部分に露出される、請求項４に記載のラチェットレンチ。
【請求項２７】  軸線に対して横断方向に向けられ且つ心出し要素を通る平面が交差する領域内で、爪及びラチェットホイールが互いに係合する、請求項２３に記載のラチェットレンチ。
【請求項２８】  軸線に対して横断方向に向けられ且つ心出し要素を通る平面が交差する領域内で、荷重支持要素及びラチェット機構が互いに係合する、請求項３又は請求項６又は請求項２０のいずれか１項に記載のラチェットレンチ。